(57)【要約】【課題】各部屋のインターホンがロビーインターホンからの呼出を受けた際、応答して通話状態とせずとも来客を確認できるマンションＨＡシステムを提供する。【解決手段】ロビーインターホン２は、呼出処理をしている住宅情報盤３に対して音声を送出するために操作する操作手段と、この操作手段の操作を受けて、警報監視盤１に通話路を形成させ、マイクを通じて入力された音声を、その通話路を通じて住宅情報盤３に送出する制御手段とを備え、警報監視盤１は、ロビーインターホン２の操作手段の操作を受けて、呼出処理をしている住宅情報盤３との通話路を形成する制御手段を備え、住宅情報盤３は、ロビーインターホン２からの呼出処理をしてから、応答するまでの間に、ロビーインターホン２に入力された音声を受けると、これをスピーカより出力させる制御手段を備える。【選択図】図１
2004179834.tif 000002
【特許請求の範囲】
【請求項１】
ロビーインターホンと、警報監視盤と、住宅情報盤と、上記警報監視盤に接続した電気錠制御盤とで構成され、上記警報監視盤は、上記ロビーインターホンと上記住宅情報盤間の呼出、通話の制御をするとともに、上記住宅情報盤での解錠操作をうけて、上記電気錠制御盤を解錠制御する構成としたマンションＨＡシステムにおいて、
上記ロビーインターホンは、呼出処理をしている住宅情報盤に対して音声を送出するために操作する操作手段と、この操作手段の操作を受けて、上記警報監視盤に通話路を形成させ、マイクを通じて入力された音声を、その通話路を通じて上記住宅情報盤に送出する制御手段とを備え、
上記警報監視盤は、上記ロビーインターホンの操作手段の操作を受けて、呼出処理をしている住宅情報盤との通話路を形成する制御手段を備え、
上記住宅情報盤は、上記ロビーインターホンからの呼出処理をしてから、応答するまでの間に、上記ロビーインターホンに入力された音声を受けると、これをスピーカより出力させる制御手段を備えることを特徴としたマンションＨＡシステム。
【請求項２】
請求項１において、
上記住宅情報盤の制御手段は、上記ロビーインターホンにおいて上記操作手段が操作され、上記ロビーインターホンに入力された音声を受け、この音声を上記スピーカより出力させたときには、電気錠の解錠操作を受け付け、解錠指令信号を上記警報監視盤に送出して、上記電気錠制御盤を解錠制御させる構成としたマンションＨＡシステム。
【請求項３】
請求項１または２において、
上記住宅情報盤は、ハンズフリー型であることを特徴とするマンションＨＡシステム。
【発明の詳細な説明】
【０００１】
【発明の属する技術分野】
本発明は、ロビーインターホンと、警報監視盤と、住宅情報盤とで構成されるマンションＨＡシステムの改良に関する。
【０００２】
【従来の技術】
従来より、集合住宅などにおいては、電気錠システムが広く使用されており、共同玄関のロビーインターホンを操作して、各部屋のインターホンを指定して呼び出せば、そのインターホンからは呼出処理がなされ、住居人が応答すれば、ロビーインターホンとインターホン間での通話路が形成されて通話状態となる。
【０００３】
このとき、呼び出されて応答したインターホンにおいて、電気錠の解錠操作をすれば、共同玄関の電気錠が解錠され、来客等が共同玄関から内部に入ることができる。この種の電気錠システムは、下記特許文献１に記載されている。
【０００４】
【特許文献１】
特開平５−１４６０４６号公報
【発明が解決しようとする課題】
ところが、上記した電気錠システムでは、呼び出された各住戸のインターホンでは、ロビーインターホンを操作した来客の映像が表示されないため、応答して、ロビーインターホン側と通話するまでは、来客が誰であるかを確認することができなかった。
【０００５】
そのため、しつこいセールスマンなどに捕まってしまうことや、ストーカーなど、通話自体をしたくない者との通話を強いられることも考えられ、特に、住居人が手を離せない場合、不都合が生じていた。
【０００６】
また、呼び出されたインターホンで応答し、通話状態としてからしか、共同玄関の電気錠を解錠することができないようになっている。
【０００７】
これは、セキュリティ面を確保するためであり、来客と通話をして相手が誰かを確認してから、電気錠の解錠操作を有効とするものであるが、このものでは、呼出を受けて電気錠の解錠操作をしたいときに、応答して通話するという手間が生じるため、使い勝手が悪かった。
【０００８】
そのため、本発明は、上記２つの問題を解決すべく提案されるものであり、第１には、各部屋のインターホンがロビーインターホンからの呼出を受けた際、応答して通話状態とせずとも来客を確認できること、第２には、呼出を受けて共同玄関の解錠をする場合、応答して通話状態とせずとも解錠できることができるマンションＨＡシステムを提供することを目的としている。
【０００９】
【課題を解決するための手段】
上記目的を達成するために、本発明の請求項１では、第１の本発明を提案しており、ロビーインターホンは、呼出処理をしている住宅情報盤に対して音声を送出するために操作する操作手段と、この操作手段の操作を受けて、警報監視盤に通話路を形成させ、マイクを通じて入力された音声を、その通話路を通じて住宅情報盤に送出する制御手段とを備え、警報監視盤は、ロビーインターホンの操作手段の操作を受けて、呼出処理をしている住宅情報盤との通話路を形成する制御手段を備え、住宅情報盤は、ロビーインターホンからの呼出処理をしてから、応答するまでの間に、ロビーインターホンに入力された音声を受けると、これをスピーカより出力させる制御手段を備えることを特徴とした。
【００１０】
請求項２では、第２の本発明を提案しており、住宅情報盤の制御手段は、ロビーインターホンにおいて操作手段が操作され、ロビーインターホンに入力された音声を受け、この音声をスピーカより出力させたときには、電気錠の解錠操作を受け付け、解錠指令信号を警報監視盤に送出して、電気錠制御盤を解錠制御させる構成とした。
【００１１】
請求項３では、第１，２の本発明で使用される住宅情報盤を提案しており、ハンズフリー型であることを特徴とする。
【００１２】
【発明の実施の形態】
以下に、本発明の実施の形態について、図面とともに説明する。図１は、第１の本発明のシステム構成の一例を示す図である。
【００１３】
このものでは、管理人室などに設置した警報監視盤１には、多重伝送線Ｌ１、通話線Ｌ２を通じて、共同玄関などに設置したロビーインターホン２が接続され、更に、多重伝送線Ｌ１、通話線Ｌ２を通じて、各住戸に設置した住宅情報盤３を接続している。
【００１４】
また、警報監視盤１には、電気錠制御盤４を多重伝送線Ｌ１を通じて接続しており、電気錠制御盤４には、共同玄関などの電気錠５が接続されている。
【００１５】
図２は、警報監視盤１、ロビーインターホン２、住宅情報盤３の内部構成の一例を示すブロック図である。警報監視盤１は、制御手段を構成し、以下の各部を制御する制御回路１０と、液晶画面などで構成される表示部１１と、各種操作キーなどで構成される操作部１２と、この警報監視盤１が動作するのに必要な各種プログラムなどを記憶するメモリ１３と、ハンドセット１４を有する通話回路１５と、ロビーインターホン２や住宅情報盤３との信号送受をする伝送回路１６と、この警報監視盤１の動作電源を供給する電源部１７と、スピーカ１８とを備える。
【００１６】
ロビーインターホン２は、制御手段を構成し、以下の各部を制御する制御回路２０と、液晶画面などで構成される表示部２１と、各種操作キーなどで構成される操作部２２と、このロビーインターホン２が動作するのに必要な各種プログラムなどを記憶するメモリ２３と、スピーカ２８とマイク２９を有する通話回路２５と、警報監視盤１や住宅情報盤３との信号送受をする伝送回路２６と、このロビーインターホン２の動作電源を供給する電源部２７とを備える。
【００１７】
操作部２２は、呼出ボタン２２Ａと、呼出中送話ボタン２２Ｂと、テンキー２２Ｃとを備える。呼出ボタン２２Ａは、テンキー２２Ｃとともに、住宅情報盤３の呼出に用いられ、テンキー２２Ｃでその住宅情報盤３の設置された住戸番号を入力し、呼出ボタン２２Ａを操作することによって、住宅情報盤３を指定した呼出ができる。
【００１８】
また、呼出中操作ボタン２２Ｂは、操作手段を構成しており、先述したような呼出操作をして住宅情報盤３を呼び出した後、応答があるまでの間にこのボタン２２Ｂを操作すれば、マイク２９によって集音した音声が当該住宅情報盤３に送出される。
【００１９】
住宅情報盤３は、制御手段を構成し、以下の各部を制御する制御回路３０と、液晶画面などで構成される表示部３１と、解錠ボタン３２Ａを有し、各種操作キーなどで構成される操作部３２と、この住宅情報盤３が動作するのに必要な各種プログラムなどを記憶するメモリ３３と、ハンドセット３４を有する通話回路３５と、警報監視盤１やロビーインターホン２との信号送受をする伝送回路３６と、この住宅情報盤３の動作電源を供給する電源部３７とを備える。
【００２０】
このような構成によれば、以下に示すような処理が可能となる。これについて、図３，４のフローチャートとともに説明する。
【００２１】
図３のフローチャートは、第１の本発明の処理を示しており、ロビーインターホン２にて、先述した住宅情報盤３の呼び出し操作がなされれば（１００）、警報監視盤２は、住戸番号を含む呼出信号が入力され、その住戸番号より住宅情報盤３の識別情報（アドレス情報など）を認識し、識別情報を含む呼出信号を多重伝送線Ｌ１に送出する。
【００２２】
住宅情報盤３側では、多重伝送線Ｌ１を流れる呼出信号に含まれる識別情報が自己のものと一致するか判断し、一致すれば呼出状態に入り、呼出音の出力などをする。
【００２３】
それから、呼び出された住宅情報盤３側で応答操作がされるまでの間に、ロビーインターホン２の呼出中送話ボタン２２Ｂが操作されると（１０１）、ロビーインターホン２は、警報監視盤１に通話路形成指令を送り、呼び出した住宅情報盤３との通話路を形成させるとともに、通話回路２５を作動させて、マイク２９への音声入力を受け付ける。
【００２４】
このときに来客がマイク２９に話し掛けると、この音声が、通話線Ｌ２を通じて、呼び出された住宅情報盤３の通話回路３５に入力されるので、住宅情報盤３では、入力された音声をスピーカ３８より出力させる（１０２）。
【００２５】
住宅情報盤３は、ロビーインターホン２からの呼び出しを受けて呼出状態にあるときに、ハンドセット３４を取り外して応答操作をすれば（１０３）、ロビーインターホン２との通話状態となり、通話回路３５によって、ハンドセット３４に入力した音声を通話線Ｌ２に出力してロビーインターホン２から出力させ、ロビーインターホン２に入力され、通話線Ｌ２を通じて入力した音声をハンドセット３４から出力させる（１０４）。
【００２６】
なお、住宅情報盤３において、呼出状態に入ってから所定時間が経過しても応答操作がされなければ、つまり、呼び出されてから所定時間が経過すれば、通常の待機状態となる（１０５）。
【００２７】
図４のフローチャートは、第２の本発明の処理を示しており、なお、ステップ２００は図３のステップ１００、ステップ２０１は図３のステップ１０１、ステップ２０２は図３のステップ１０２、ステップ２０５は図３のステップ２０３、ステップ２０６は図３のステップ１０４、ステップ２０８は図３のステップ１０５にそれぞれ相当する。
【００２８】
ここでは、ステップ２００〜２０２の処理を経た後、応答操作（２０５）があるまでの間に、住宅情報盤３において、解錠ボタン３２Ａの操作による解錠操作があれば（２０３）、制御回路３０によって解錠指令信号を、多重伝送線Ｌ１を通じて警報監視盤２に送出し、これを受けた警報監視盤２によって電気錠制御盤４の解錠制御をさせ、電気錠５の解錠をさせる（２０４）。
【００２９】
また、呼出を受けてから所定時間が経過するまでに、先述した応答操作がされれば（２０５）、ステップ２０６の処理をし、このとき、解錠操作がされれば先述の解錠指令信号による電気錠５の解錠をさせる（２０７）。
【００３０】
一方、呼び出されてから所定時間が経過しても、解錠操作（２０３）や応答操作（２０５）がなければ、通常と待機状態とする（２０８）。
【００３１】
なお、この実施の形態では、住宅情報盤３をハンドセット３４を備えたタイプとしているが、この例に限られず、ハンドセット３４のないハンズフリータイプとして備えていてもよい。
【００３２】
【発明の効果】
以上の説明からも理解できるように、本発明の請求項１では、ロビーインターホンより住宅情報盤を指定して呼出を行い、呼出状態とさせているときに、住宅情報盤に対して、ロビーインターホン側の音声を出力させることができるので、住宅情報盤では、呼出を受けたら、応答して通話状態とせずとも、出力される音声を聞いて来客が誰であるかを確認できるので、すこぶる利便である。
【００３３】
請求項２では、住宅情報盤が呼出状態であり、ロビーインターホン側の音声が出力されているときには、電気錠の解錠操作を受け付けるので、応答操作をして通話状態とせずとも、ロビーインターホン側の音声を聞いて来客が誰かを確認し、電気錠の解錠操作ができ、セキュリティー面と、住居人の利便の双方が確保できる。
【００３４】
請求項３では、ハンズフリー型であるので、応答して通話をする際に、ハンドセットをもつ必要がなく、利便である。
【図面の簡単な説明】
【図１】本発明のシステム構成の一例を示す図。
【図２】本発明の内部構成の一例を示すブロック図
【図３】第１の本発明の処理について説明するためのフローチャート
【図４】第２の本発明の処理について説明するためのフローチャート
【符号の説明】
１・・・警報監視盤
２・・・ロビーインターホン
３・・・住宅情報盤
４・・・電気錠制御盤
１０・・・警報監視盤の制御回路
２０・・・ロビーインターホンの制御回路
２２Ｂ・・・呼出中操作ボタン
３０・・・住宅情報盤の制御回路
３２Ａ・・・解錠ボタン
３８・・・住宅情報盤のスピーカ
【図１】
2004179834.tif 000003
【図２】
2004179834.tif 000004
【図３】
2004179834.tif 000005
【図４】
2004179834.tif 000006